(57)【要約】【課題】室内空間を最大限に活用することを可能にするとともに、室内の温度や湿度の均一性を維持することを可能とした空調システムを提案する。【解決手段】天井に設置された空調機２と、空調機２の吹出口と空調機２の正面の壁Ｗ１との間において天井に設置された上部送風機３と、空調機２と上部送風機３との間において、天井から隙間をあけて吊持されたパネル５とを備える空調システム１であって、上部送風機３が、空調機２から吹き出されてパネル５により誘導された空調空気を正面の壁Ｗ１に向けて送風する。【選択図】図１
2014013097.tif 000002
【特許請求の範囲】
【請求項１】
天井に設置された空調機と、
前記空調機の吹出口と前記空調機の正面の壁との間において前記天井に設置された上部送風機と、
前記空調機と前記上部送風機との間において、前記天井から隙間をあけて吊持されたパネルと、を備える空調システムであって、
前記上部送風機が、前記空調機から吹き出されて前記パネルにより誘導された空調空気を、前記正面の壁に向けて送風することを特徴とする、空調システム。
【請求項２】
前記空調機の側方に形成された壁に沿って配設された側部送風機を備えており、
前記側部送風機は、前記上部送風機による送風方向と逆方向に送風することを特徴とする、請求項１に記載の空調システム。
【発明の詳細な説明】
【技術分野】
【０００１】
本発明は、空調システムに関する。
【背景技術】
【０００２】
倉庫内では、パレットを利用して収納物を段積みすることで、倉庫内のスペースを最大限に利用するのが一般的である。
温度管理が必要な倉庫内は、パレットにより収納物が積み上げられた状態であっても、パレット間の隙間も含めて、温度・湿度が均一に維持されているのが望ましい。
【０００３】
倉庫における一般的な空調管理は、床に配置された空調機からの空調空気を、天井に配設されたダクトを介して送風するのが一般的である。ダクトは、倉庫内全体に空調空気が行きわたるよう、天井に張り巡らされている。
【０００４】
ところが、前記従来の空調管理方法は、倉庫内のスペースを最大限に利用することができない場合があった。つまり、空調機を床に配置すると、収納物を配置するための床面積が減少してしまい、また、天井にダクトを張り巡らせると、収納物の積み上げ高さが制限されてしまう。
【０００５】
特に低温倉庫では、ダクトに形成された吹出口から低温の空調空気が吹き出されるため、冷気ドラフトが生じてしまい、倉庫内の気流・温度分部が不均一となってしまう。
【０００６】
そのため、特許文献１には、ダクトを使用することなく室内に空調空気を均一に供給する空調システムとして、天井隅部に設置された空調機と、室内中央部において天井に並設された複数の搬送ファンとを備えたものが開示されている。この空調システムは、空調機により吹き出した空調空気が、コアンダ効果により壁面に沿って対角位置付近まで送風されるとともに、空調機と逆向きに送風する複数の搬送ファンにより、室内全体に空調空気を行き渡らせるというものである。
【０００７】
また、特許文献２の空調システムは、吹き出し方向を調整可能な空調機により、冷房立ち上げ時には下方に向けて冷風を吹き出すとともに、冷房立ち上げ後には、天井と平行に冷風を吹き出すことにより、冷風を天井に沿わせて室内の遠方まで供給するものである。
【先行技術文献】
【特許文献】
【０００８】
【特許文献１】特開２０１０−１８５５８６号公報
【特許文献２】特開平９−３０３８０９号公報
【発明の概要】
【発明が解決しようとする課題】
【０００９】
特許文献１の空調システムでは、倉庫等の広い空間に採用する場合、空調機から対角位置までの距離が大きくなるので、空調空気が行き渡らないおそれがある。特に、冷気を送風する場合には、冷気が床側に落下してしまうため、室内の温度分布の均一性を維持することが困難になるおそれがあった。
【００１０】
また、特許文献２の空調システムにおいても、冷気が落下することで遠方には冷風が行き渡らないおそれがある。そのため、空調機に近い位置と遠い位置との間で温度差が生じ、室内温度の均一性を維持することが困難であった。
【００１１】
本発明は、前記の問題点を解決することを目的とするものであり、室内空間を最大限に活用することを可能にするとともに、室内の温度や湿度の均一性を維持することを可能とした空調システムを提案することを課題とする。
【課題を解決するための手段】
【００１２】
前記課題を解決するために、本発明に係る空調システムは、天井に設置された空調機と、前記空調機の吹出口と前記空調機の正面の壁との間において前記天井に設置された上部送風機と、前記空調機と前記上部送風機との間において、前記天井から隙間をあけて吊持されたパネルとを備える空調システムであって、前記上部送風機が、前記空調機から吹き出されて前記パネルにより誘導された空調空気を、前記正面の壁に向けて送風することを特徴としている。
【００１３】
かかる空調システムによれば、天井に対向するパネルにより、空調機から吹き出された空調空気が床方向に落下するのを防ぐことができる。また、コアンダ効果により周辺の空気を誘引しつつ空調空気を上部送風機まで誘導するため、摩擦抵抗の影響が少ない。
また、水平パネルにより誘導された空調空気は、上部送風機により正面の壁に吹付けられるため、正面の壁に沿って左右に分散される。
【００１４】
この空調システムによれば、上記のような作用により、空調空気を室内全体に行き渡らせることが可能となる。また、天井面にダクトを張り巡らせる必要がないため、室内空間を最大限に活用することができる。
【００１５】
また、前記空調機の側方に形成された壁に沿って側部送風機を設け、この側部送風機により上部送風機による送風方向と逆方向に送風すれば、正面の壁にぶつかって左右に分散された空調空気を、側部送風機により上部送風機とは逆向きに送風することで、室内に均一に空調空気を流すとともに空調機に還流させることが可能となる。
【発明の効果】
【００１６】
本発明の空調システムによれば、室内空間を最大限に活用することが可能になるとともに、室内の温度や湿度の均一性を維持することが可能となる。
【図面の簡単な説明】
【００１７】
【図１】本発明の実施形態に係る空調システムを示す斜視図である。
【図２】同空調システムの側面図である。
【図３】同空調システムの平面図である。
【発明を実施するための形態】
【００１８】
本実施形態の空調システム１は、室内の温度や湿度の均一性を維持するものであって、図１に示すように、空調機２と、上部送風機３と、側部送風機４と、パネル５とを備えている。
【００１９】
本実施形態では、低温倉庫として使用する建物Ｂの内部に空調システム１を配設する場合について説明するが、建物Ｂの使用目的は限定されるものではない。
【００２０】
空調機２は、図２に示すように、天井に吊持された、いわゆる天井吊下げ式のユニットクーラーである。
本実施形態では、空調機２から排出された冷気（空調空気）Ａにより、建物Ｂの室内全体を均一に冷却する。
【００２１】
空調機２は、吹出口が空調機２の正面（前方）の壁（以下、「前方壁Ｗ１」という）に送風する向きとなるように、後方の壁（以下、「後方壁Ｗ３」という）の近傍において室内の幅方向（左右方向）中央部に設置されている。
ここで、説明において使用する前後左右は、図１に示す方向とする。
【００２２】
上部送風機３は、空調機２の吹出口と空調機２の前方壁Ｗ１との間において、天井から吊持されている。
上部送風機３は、空調機２側が吸気口、前方壁Ｗ１側が吹出口となるように配置する。
【００２３】
本実施形態では、前後２列、左右に３列、計６台の上部送風機３，３，…を室内の前半部の領域に配設している。前列の３台の上部送風機３，３，３および後列の３台の上部送風機３，３，３は、室内の幅方向（左右方向）中央部に設置されている。なお、上部送風機３，３，…の台数や配置等は限定されるものではなく、建物Ｂの形状や機械の能力に応じて適宜設定すればよい。
【００２４】
側部送風機４は、図１に示すように、空調機２の側方に形成された（以下、「側方壁Ｗ２」という）に沿って配設されている。本実施形態の側部送風機４は、室内の前半部の領域に配設されている。
【００２５】
本実施形態では、左右の側方壁Ｗ２，Ｗ２に、それぞれ２台の側部送風機４を前後に並べて配置しているが、側部送風機４の台数や配置は限定されるものではない。例えば、側部送風機を上下に複数段並べてもよい。また、本実施形態では、天井高の１／２の高さよりも下側に側部送風機４を設置しているが、側部送風機４の設置高さは限定されるものではない。
【００２６】
側部送風機４は、前方壁Ｗ１側が吸気口、前方壁Ｗ１の反対側の後方壁Ｗ３側が吹出口になる向きに配置する。つまり、側部送風機４は、上部送風機３の送風方向と逆方向に送風するように配設されている。
【００２７】
なお、側部送風機４の設置方法は限定されるものではなく、例えば、側方壁Ｗ２に直接固定してもよいし、側方壁Ｗ２に固定された架台に設置してもよい。また、床に立設された架台に側部送風機４を設置してもよいし、天井から吊持してもよい。
【００２８】
パネル５は、空調機２と上部送風機３との間において、天井から隙間をあけて吊持されている。本実施形態では、パネル５の後端が空調機２の吹出口の下方近傍、パネル５の前端が後列の上部送風機３の吸気口の下方近傍となるように配設している。なお、パネル５は、空調機２や上部送風機３と部分的に重なるように配設してもよい。
【００２９】
本実施形態では、室内の後半部にパネル５が設置されており、パネル５の前端が建物Ｂの中央付近に位置している。パネルの幅は、少なくとも、空調機２の吹き出し口の外側の幅よりも大きな幅とすることが好ましい。
図１に示すように、パネル５と天井との間に形成された隙間は、四方が開放されていて、冷気Ａを送風する際に、温度の高い天井付近の空気ａを巻き込むことができ、温度分布の均一化にも寄与する。
【００３０】
本実施形態の空調システム１によれば、空調機２の吹出口から吹き出された冷気Ａが、パネル５の上面に沿って上部送風機３に誘導される。このとき、冷気Ａは、コアンダ効果により周辺の空気を誘引するため、パネル５との間の摩擦抵抗が少なく、効率良く上部送風機３の方向に誘導される。
【００３１】
上部送風機３は、空調機２から吹き出されてパネル５により誘導された冷気Ａを、前方壁Ｗ１に向けて送風する。本実施形態では、前後に２列配置された上部送風機３，３，…により、空調機２から吹き出されたときの高さをほぼ維持したまま、冷気Ａを床側に落下させることなく前方壁Ｗ１に吹付ける。
【００３２】
前方壁Ｗ１に吹付けられた冷気Ａは、前方壁Ｗ１に衝突して、下方向および左右に分散した後、前方壁Ｗ１，側方壁Ｗ２に沿って流れる。
【００３３】
前方壁Ｗ２に沿って流れた冷気Ａは、側方送風機４，４，…によって後方壁Ｗ３に向って吹付けられた後、空調機２に還流する。
このように、空調システム１によれば、空調機２から排出された冷気Ａを、室内に還流させて、室内全体に行き渡らせることができる。
【００３４】
空調システム１は、ダクトを張り巡らせないため、パレットにより積み上げる収納物の高さを、ダクトを利用する場合よりも高くすることができる。そのため、室内空間を最大限に活用することができる。
また、空調機２を天井に吊持させているため、空調機２を床に設置する場合よりも床面積を広く確保することができ、室内空間を有効に利用することができる。
【００３５】
コアンダ効果を利用した空調空気（冷気Ａ）の誘導は、天井の下面ではなく、パネル５の上面を利用しているため、冷気Ａが床方向に落下するのを防ぐことができ、その結果、冷気Ａを遠方まで供給することができる。そのため、効率的に冷気Ａを還流させて、室内全体を均一に冷却することができる。
また、パネル５により冷気Ａを誘導することで、空調機２の吹出口近傍での冷えすぎを防止できる。
【００３６】
また、室内全体を均一に冷却するため、パレット等を介して積み上げられた荷物を全て均一に冷却することができる。故に、倉庫内の収納物の品質管理にも効果的である。パレット間の空間においても、均一な温度分布を達成させることができる。
【００３７】
また、コアンダ効果により摩擦抵抗の影響を最小限に抑えて冷気を誘導することができるため、空調機２の搬送量および送風強さを、ダクトを使用する場合よりも小さくすることができ、ランニングコストの低減化を図ることができる。
【００３８】
以上、本発明に係る実施形態について説明した。しかし、本発明は、前述の実施形態に限られず、前記の各構成要素については、本発明の趣旨を逸脱しない範囲で、適宜変更が可能である。
【００３９】
例えば、本発明の空調システムにより送風される空調空気は、冷気に限定されるものではない。
【００４０】
前記実施形態では、空調機を一方の壁に近接して配置する場合について説明したが、空調機の位置はこれに限定されるものではない。例えば、室内の中央から壁に向けて冷気を排出するように配置してもよい。
また、側部送風機は必要に応じて配設すればよく、省略してもよい。
【符号の説明】
【００４１】
１    空調システム
２    空調機
３    上部送風機
４    側部送風機
５    パネル
Ａ    冷気（空調空気）
ａ    天井付近の空気（パネル上で空調空気に誘引される天井付近の空気）
Ｂ    建物
Ｗ１  前方壁（正面の壁）
Ｗ２  側方壁（側方に形成された壁）
【図１】
2014013097.tif 000003
【図２】
2014013097.tif 000004
【図３】
2014013097.tif 000005